(57)【要約】【課題】  本発明の課題は、ＰＳＴＮ網を経由して受信したテレビ電話端末からのテレビ電話映像をインターネット上で動画として閲覧可能とする動画蓄積配信方法を提供することを目的とする。【解決手段】  上記課題は、公衆交換電話網を経由して受信した映像を蓄積し、インターネット網を経由して動画データとして配信する動画蓄積配信方法において、コンピュータが、上記公衆交換電話網を経由してテレビ電話発信された映像を受信しつつ所定録画領域に録画して蓄積する録画手順と、上記録画手順において録画された上記映像をディジタル形式の上記動画データに変換する映像動画変換手順と、上記インターネット網を経由して上記動画データをインターネット上で公開可能な記憶領域に配信する動画配信手順とを有するようにした動画蓄積配信方法によって達成される。【選択図】  図１
2010088130.tif 000002
【特許請求の範囲】
【請求項１】
公衆交換電話網を経由してテレビ電話端末から受信した映像を動画データに変換してデータ配信する動画変換配信サーバーと、該データ配信された動画データを格納し、インターネット網を介して接続されるパーソナルコンピュータからの動画要求に応じて該動画データを提供する動画提供サーバーとを有する動画蓄積配信システムにおける動画蓄積配信方法であって、
上記動画変換配信サーバーは、
上記公衆交換電話網を経由したテレビ電話発信に係る上記テレビ電話端末の電話番号情報を取得する電話番号情報取得手順と、
上記テレビ電話発信された映像を受信しつつ所定録画領域に録画する録画手順と、
上記録画手順において録画された上記映像をディジタル形式の上記動画データに変換する映像動画変換手順と、
上記インターネット網を経由して上記動画データをインターネット上で公開可能な上記動画提供サーバーに、上記電話番号情報と上記映像から変換された動画データとをデータ配信するデータ配信手順とを有し、
上記動画提供サーバーは、
上記動画変換配信サーバーから上記電話番号情報と共に配信された上記動画データを該電話番号情報と対応させて格納領域に格納する動画格納制御手順と、
上記インターネット網を介して接続されるパーソナルコンピュータからの上記電話番号情報を用いた動画要求に応じて上記動画データを該パーソナルコンピュータに提供する動画提供手順とを有するようにした動画蓄積配信方法。
【請求項２】
請求項１記載の動画蓄積配信方法であって、
上記電話番号情報取得手順は、上記公衆交換電話網から取得した上記テレビ電話端末の電話番号の全て又は一部を電話番号情報として取得するようにした動画蓄積配信方法。
【請求項３】
請求項１又は２記載の動画蓄積配信方法であって、
上記動画格納制御手順は、同一の電話番号情報が存在しないように動画データを管理し、同一の電話番号情報が既に存在する場合、該電話番号情報に対応させて動画データを上書きするようにした動画蓄積配信方法。
【請求項４】
請求項１乃至３のいずれか一項記載の動画蓄積配信方法であって、
上記パーソナルコンピュータは、携帯電話又はＰＨＳの種別と共に電話番号情報を指定して上記動画要求を行うようにした動画蓄積配信方法。
【請求項５】
公衆交換電話網を経由してテレビ電話端末から受信した映像を動画データに変換してデータ配信する動画変換配信サーバーであって、
上記公衆交換電話網を経由したテレビ電話発信に係る上記テレビ電話端末の電話番号情報を取得する電話番号情報取得手段と、
上記テレビ電話発信された映像を受信しつつ所定録画領域に録画する録画手段と、
上記録画手段において録画された上記映像をディジタル形式の上記動画データに変換する映像動画変換手段と、
上記インターネット網を経由してパーソナルコンピュータからの上記電話番号情報を用いた動画要求に応じて上記動画データを提供する動画提供サーバーに、上記電話番号情報と上記映像から変換された動画データとをデータ配信するデータ配信手段とを有するようにした動画変換配信サーバー。
【請求項６】
請求項５記載の動画変換配信サーバーであって、
上記電話番号情報取得手段は、上記公衆交換電話網から取得した上記テレビ電話端末の電話番号の全て又は一部を電話番号情報として取得するようにした動画変換配信サーバー。
【請求項７】
インターネットを介して接続される請求項６記載の動画変換配信サーバーからデータ配信される動画データをインターネット上で公開可能な動画提供サーバーであって、
上記動画変換配信サーバーから上記電話番号情報と共に配信された上記動画データを該電話番号情報と対応させて格納領域に格納する動画格納制御手段と、
上記インターネット網を介して接続されるパーソナルコンピュータからの上記電話番号情報を用いた動画要求に応じて上記動画データを該パーソナルコンピュータに提供する動画提供手段とを有するようにした動画提供サーバー。
【請求項８】
請求項７記載の動画提供サーバーであって、
上記動画格納制御手段は、同一の電話番号情報が存在しないように動画データを管理し、同一の電話番号情報が既に存在する場合、該電話番号情報に対応させて動画データを上書きするようにした動画提供サーバー。
【発明の詳細な説明】
【技術分野】
【０００１】
本発明は、テレビ電話端末によって撮影された映像を電話回線網を介して受信し、インターネットを介してその撮影された該映像に対する閲覧要求に応じてディジタル変換された動画データによって該映像を提供する動画蓄積配信方法を提供するものである。
【背景技術】
【０００２】
近年、携帯電話機及び動画像技術の発展により、テレビ電話機としての機能を有すると共に、撮影した被写体を動画として電子メール等に添付することによって送信先へ送信することができるテレビ電話機が市販されるようになった。このようなテレビ電話機で動画を撮影する際には、音声も同時に録音することができ、受信者側は、同等の機能を持ったテレビ電話機に限定されず、例えば、パーソナルコンピュータ（以下、ＰＣと言う）でメールを受信し、送信された動画を音声と共に楽しむことができるようになった。
【先行技術文献】
【特許文献】
【０００３】
【特許文献１】特開２００２−２６２２５９号公報
【発明の概要】
【発明が解決しようとする課題】
【０００４】
しかしながら、このようなテレビ電話機では、撮影した動画を一旦携帯電話機の記憶領域に格納し、電子メール機能を立ち上げてその動画を添付するという作業をテレビ電話機の利用者がする必要があった。このような操作は、本来電話機の操作として備わっていたものではないため、幾つかの操作を組み合せることは、利用者にとって煩わしいと感じるものであった。
【０００５】
そこで、本発明の課題は、テレビ電話端末によって撮影された映像を電話回線網を介して受信し、インターネットを介してその撮影された該映像に対する閲覧要求に応じてディジタル変換された動画データによって該映像を提供する画像蓄積配信方法を提供することである。
【課題を解決するための手段】
【０００６】
また、本発明は、公衆交換電話網を経由してテレビ電話端末から受信した映像を動画データに変換してデータ配信する動画変換配信サーバーと、該データ配信された動画データを格納し、インターネット網を介して接続されるパーソナルコンピュータからの動画要求に応じて該動画データを提供する動画提供サーバーとを有する動画蓄積配信システムにおける動画蓄積配信方法であって、上記動画変換配信サーバーは、上記公衆交換電話網を経由したテレビ電話発信に係る上記テレビ電話端末の電話番号情報を取得する電話番号情報取得手順と、上記テレビ電話発信された映像を受信しつつ所定録画領域に録画する録画手順と、上記録画手順において録画された上記映像をディジタル形式の上記動画データに変換する映像動画変換手順と、上記インターネット網を経由して上記動画データをインターネット上で公開可能な上記動画提供サーバーに、上記電話番号情報と上記映像から変換された動画データとをデータ配信するデータ配信手順とを有し、上記動画提供サーバーは、上記動画変換配信サーバーから上記電話番号情報と共に配信された上記動画データを該電話番号情報と対応させて格納領域に格納する動画格納制御手順と、上記インターネット網を介して接続されるパーソナルコンピュータからの上記電話番号情報を用いた動画要求に応じて上記動画データを該パーソナルコンピュータに提供する動画提供手順とを有するように構成される。
【０００７】
このような動画蓄積配信方法では、例えば、テレビ電話機能を有する携帯端末であるＴＶ電話端末から送信される映像を録画して、ディジタル形式（例えば、ストリーミング形式）の動画データに変換することができるため、その動画データをインターネット上で公開することができる。従って、閲覧者は、同等のＴＶ電話端末によってインターネットに接続することによって動画データが実行されたＷｅｂ画面を閲覧することができる。また、閲覧者は、コンピュータ端末を利用してインターネットに接続することによって同様に動画データが実行されたＷｅｂ画面を閲覧することができる。このように、閲覧者が利用する端末をＴＶ電話端末に限定することなく、Ｗｅｂ画面が表示できる端末にてＴＶ電話端末からの映像を閲覧してもらうことが可能となる。
【０００８】
上記課題を解決するための手段として、本発明は、上記動画蓄積配信方法をコンピュータに行なわせるためのプログラム又は該プログラムを記憶した記憶媒体とすることもできる。
【発明の効果】
【０００９】
本願発明によれば、ＴＶ電話端末からのＴＶ電話映像をＰＳＴＮ網を経由して受信し、インターネット上で動画として閲覧可能とすることができる。
【図面の簡単な説明】
【００１０】
【図１】本発明の第一実施例に係る動画蓄積配信システムのネットワーク構成を示す図である。
【図２】本発明の第一実施例に係る動画蓄積配信システムでの処理を説明するフローチャート図である。
【図３】本発明の第一実施例に係る動画蓄積配信システムでの処理を説明するフローチャート図である。
【図４】本発明の第二実施例に係る動画蓄積配信システムのネットワーク構成を示す図である。
【図５】本発明の第二実施例に係る動画蓄積配信システムでの処理を説明するフローチャート図である。
【図６】本発明の第二実施例に係る動画蓄積配信システムでの処理を説明するフローチャート図である。
【図７】本発明の第三実施例に係る動画蓄積配信システムのネットワーク構成を示す図である。
【図８】本発明の第三実施例に係る動画蓄積配信システムでの処理を説明するフローチャート図である。
【図９】本発明の第三実施例に係る動画蓄積配信システムでの処理を説明するフローチャート図である。
【図１０】本発明の第四実施例に係る動画蓄積配信システムのネットワーク構成を示す図である。
【図１１】本発明の第四実施例に係る動画蓄積配信システムでの処理を説明するフローチャート図である。
【図１２】本発明の第四実施例に係る動画蓄積配信システムでの処理を説明するフローチャート図である。
【図１３】本発明の第五実施例に係る動画蓄積配信システムのネットワーク構成を示す図である。
【図１４】本発明の第五実施例に係る動画蓄積配信システムでの処理を説明するフローチャート図である。
【図１５】本発明の第五実施例に係る動画蓄積配信システムでの処理を説明するフローチャート図である。
【発明を実施するための形態】
【００１１】
以下、本発明の実施の形態を図面に基づいて説明する。
【００１２】
本発明に係る動画蓄積配信システムにおいて、従来のテレビ電話端末から送信された動画（映像）が閲覧者のパーソナルコンピュータ（ＰＣ）で閲覧可能になるまでの方法について以下第一実施例から第五実施例にて詳述する。以下の説明において、ＴＶ（テレビ）電話発信は、音声と同時に撮影された映像を送信するための電話発信を意味し、電話発信は、音声と同時に撮影された映像を送信することを意図しない電話発信を意味する。
［第一実施例］
本発明の第一実施例に係る動画蓄積配信システムについて図１、図２及び図３で説明する。図１は、本発明の第一実施例に係る動画蓄積配信システムのネットワーク構成を示す図である。図１に示す動画蓄積配信システム１００１のネットワーク構成において、テレビ電話機能を有する携帯端末であるＴＶ電話端末２０はＰＳＴＮ（公衆交換電話網：Public Switched Telephone Network）網９１を介してＴＶ（テレビ）電話映像を動画ファイル変換配信サーバー１１０に送信する。動画ファイル変換配信サーバー１１０は、ストリーミング形式に変換したＴＶ電話映像を動画提供サーバー２１０にインターネット網９２を介して配信する。動画提供サーバー２１０は、インターネット網９２を介して端末３０からの要求に応じて、該要求で指定される電話番号の全部又は一部を示す電話番号情報に対応した動画ファイルを端末３０へ提供する。ここで、電話番号情報は、動画ファイル変換配信サーバー１１０がＰＳＴＮ網９１から取得したＴＶ電話端末２０の電話番号の全部又は一部を示す情報である。
【００１３】
動画ファイル変換配信サーバー１１０は、ＣＰＵ（中央処理装置）によって制御されるサーバーコンピュータであって、電話番号取得部１１１と、録画処理部１１２と、動画ファイル変換部１１３と、データ配信部１１４と、インストーラー１１９とを有する。電話番号取得部１１１は、ＰＳＴＮ網９１から通知される電話番号を取得する。録画処理部１１２は、ＴＶ電話端末２０から受信したＴＶ電話映像を所定の記憶領域に録画し、動画ファイル変換部１１３は、録画されたＴＶ電話映像をストリーミング形式の動画ファイルに変換する。データ配信部１１４は、変換された動画ファイルをＴＶ電話端末２０と共に、所定の動画提供サーバー２１０へ配信する。動画ファイル変換配信サーバー１１０の各処理部１１１〜１１４によって実行される処理は、例えば、ＣＤ−ＲＯＭ等のコンピュータ読み取り可能な記録媒体１９０に記録されたプログラムをインストーラー１１９によって動画ファイル変換配信サーバー１１０にインストールし、該プログラムを実行することによって実現される。
【００１４】
動画提供サーバー２１０は、ＣＰＵ（中央処理装置）による制御によって、閲覧者が利用する端末３０にインターネットを介して取得可能な情報をＷｅｂ情報として提供するＷｅｂサーバーコンピュータであって、動画ファイル格納制御部２１１と、動画提供部２１２と、動画ファイル格納領域２１８と、インストーラー２１９とを有する。動画ファイル格納制御部２１１は、動画ファイル変換配信サーバー１１０からＴＶ電話端末２０の電話番号情報と共に配信された動画ファイルをその電話番号情報と対応させて動画ファイル格納領域２１８に格納する。或いは、動画ファイルのファイル名を電話番号情報としても良い。この場合、同一の電話番号情報が存在しないように動画ファイルが管理される。つまり、同一の電話番号情報が既に格納されていた場合、その電話番号情報に対応させて動画ファイルが上書きされる。動画提供部２１２は、端末３０からの動画要求に応じて、端末３０の利用者がＷｅｂ画面上で指定した動画ファイルを端末３０に提供する。動画提供サーバー２１０の各処理部２１１及び２１２によって実行される処理は、例えば、ＣＤ−ＲＯＭ等のコンピュータ読み取り可能な記録媒体２９０に記録されたプログラムをインストーラー２１９によって動画提供サーバー２１０にインストールし、該プログラムを実行することによって実現される。
【００１５】
このように、動画蓄積配信システム１００１によって、ＴＶ電話端末２０は、動画ファイル変換配信サーバー１１０へ音声と共に映像の送信を行うＴＶ電話発信を行うのみでよく、通常のＴＶ電話と同様の操作によって、ＴＶ電話映像を動画ファイル変換ファイルサーバー１１０へ送信することができる。ＴＶ電話端末２０の利用者は、撮影したＴＶ電話映像をＴＶ電話端末２０に一旦格納後、電子メールに添付する等の操作を不要とすることができる。
【００１６】
また、端末３０は、ＴＶ電話端末２０の電話番号情報を指定するのみで、ＴＶ電話端末２０が撮影したＴＶ電話映像を動画として閲覧することができる。この場合、電話番号情報は、電話番号の全て又は一部の例えば下四桁を示すのみでも良い。或いは、携帯電話又はＰＨＳ（Personal Handyphone System）の種別と共に電話番号情報を指定するようにしても良い。このような指定によって対応する動画ファイルを十分に特定することができる。
【００１７】
端末３０は、閲覧者のＰＣ又はＴＶ電話端末等の動画を表示させることができる端末であれば良く、閲覧者がＴＶ電話端末を持っていない場合であっても、ＴＶ電話端末２０が送信したＴＶ電話映像を閲覧することが可能となる。
【００１８】
図２及び図３は、本発明の第一実施例に係る動画蓄積配信システムでの処理を説明するフローチャート図である。図１のネットワーク構成を参照しつつ、図２及び図３に示す処理について説明する。図２より、ＴＶ電話端末２０は、動画ファイル変換配信サーバー１１０の電話番号に対してＴＶ電話発信を行い、動画ファイル変換配信サーバー１１０は、そのＴＶ電話発信をＰＳＴＮ網９１を介して受信する（ステップＳ１１）。動画ファイル変換配信サーバー１１０は、電話番号取得部１１１によって、ＰＳＴＮ網によって通知されるＴＶ電話端末２０の電話番号を取得し（ステップＳ１２）、続けて、録画処理部１１２によって、ＴＶ電話端末２０から送信されるＴＶ電話映像を受信しつつ、所定記憶領域にリアルタイムに録画を行う（ステップＳ１３）。
【００１９】
動画ファイル変換配信サーバー１１０は、動画ファイル変換部１１３によって、録画したＴＶ電話映像をインターネット網９２上で閲覧可能な動画ファイルに変換して（ステップＳ１４）、データ配信部１１４により、電話番号取得部１１１によって取得したＴＶ電話端末２０の電話番号と、動画ファイル変換部１１３によって変換された動画ファイルとを所定の動画提供サーバー２１０へインターネット網９２を経由してデータ配信する（ステップＳ１５）。ここで動画ファイル変換部１１３によって変換された動画ファイルは、例えば、再生しながらダウンロード可能なストリーミング形式の動画ファイルである。
【００２０】
動画提供サーバー２１０は、インターネット網９２を経由して、動画ファイルを受信すると（ステップＳ１６）、動画ファイル格納制御部２１１によって、動画ファイル格納領域２１８にＴＶ電話端末の電話番号と対応させて動画ファイルを格納する（ステップＳ１７）。
【００２１】
一方、閲覧者は、端末３０を用いて動画提供サーバー２１０へアクセスし、Ｗｅｂ画面上で電話番号情報に基づいて所望の動画を指定することによって動画要求を行う（ステップＳ１８）。
【００２２】
動画提供サーバー２１０は、閲覧者の端末３０から動画要求を受信すると、動画提供部２１２によって、動画ファイル格納領域２１８から、その動画要求で指定される動画ファイルを取得する（ステップＳ１９）。動画提供サーバー２１０は、動画提供部２１２によって、取得した動画ファイルを端末３０へ送信する（ステップＳ２０）。
【００２３】
閲覧者の端末３０は、動画ファイルを受信しＷｅｂ画面上で実行することによって、ＴＶ電話端末で撮影されたＴＶ端末映像を動画として表示ユニットに表示する（ステップＳ２１）。
【００２４】
上記第一実施例に係る動画蓄積配信システム１００１では、ＴＶ電話端末２０の電話番号で特定できる動画ファイルは１つであるため、再度ＴＶ電話端末２０がＴＶ電話映像を送信した場合には、動画提供サーバー２１０は、ＴＶ電話端末２０の電話番号に対応させて新しい動画ファイルに置き換えて格納することになる。
【００２５】
第二実施例では、ＴＶ電話端末２０側でＴＶ電話映像の格納場所を指定可能とすることにより、複数のＴＶ電話映像を格納できる構成例について説明する。
［第二実施例］
本発明の第二実施例に係る動画蓄積配信システムについて図４、図５及び図６で説明する。図４は、本発明の第二実施例に係る動画蓄積配信システムのネットワーク構成を示す図である。図４中、図１に示す動画蓄積配信システム１００１と同様の構成部分には同一の符号が付される。図４に示す動画蓄積配信システム１００２のネットワーク構成では、他の複数の動画提供サーバー２２０−１及び２２０−２と配信先指定番号識別サーバー３２０とがインターネット網９２を介して接続されている点において、図１に示す動画蓄積配信システム１００１のネットワーク構成と大きく異なる点である。他の複数の動画提供サーバー２２０−１及び２２０−２は、後述される動画提供サーバー２２０と同等の機能を有するものとする。よって、以下、説明の便宜のため、動画提供サーバー２２０として説明する。また、本実施例において、配信先指定番号識別サーバー３２０の電話番号を「053-123-4567」とし、動画ファイル変換配信サーバー１２０の電話番号を「053-123-4568」とする。
【００２６】
配信先指定番号識別サーバー３２０は、ＣＰＵ（中央処理装置）によって制御されるサーバーコンピュータであって、サブアドレス取得部３２１と、配信先通知部３２２と、インストーラー３１９とを有する。サブアドレス取得部３２１は、ＰＳＴＮ網９１から提供されるＴＶ電話端末２０の電話番号と、配信先指定番号識別サーバー３２０の電話番号（例えば、「053-123-4567」）に付加されたサブアドレス（例えば、「0001」）を取得する。ここで、配信先指定番号識別サーバー３２０は、ＴＶ電話端末２０からの電話発信を着信しないので、ＴＶ電話端末２０に対して課金されることがない。
【００２７】
配信先指定番号識別サーバー３２０において、配信先通知部３２２は、予めサブアドレスと対応付けられた動画提供サーバー２２０のディレクトリ名を取得して、そのディレクトリの位置を示す配信先情報と、ＴＶ電話端末２０の電話番号とを動画ファイル変換配信サーバー１２０へ通知する。配信先指定番号識別サーバー３２０の各処理部３２１及び３２２によって実行される処理は、例えば、ＣＤ−ＲＯＭ等のコンピュータ読み取り可能な記録媒体３９０に記録されたプログラムをインストーラー３１９によって配信先指定番号識別サーバー３２０にインストールし、該プログラムを実行することによって実現される。
【００２８】
動画ファイル変換配信サーバー１２０は、配信先指定番号識別サーバー３２０から送信された配信先情報を取得する配信先取得部１２１を更に有する点において、第一実施例の動画ファイル変換配信サーバー１１０と異なっている。電話番号取得部１１１は、ＴＶ電話端末２０との接続の際に、配信先取得部１２１によって既に取得したＴＶ電話端末２０の電話番号であることを確認し、録画処理部１１２によって、ＴＶ電話端末２０から送信されるＴＶ電話映像を所定記憶領域に録画する。動画ファイル変換部１１３は、録画したＴＶ電話映像をストリーミング形式等の動画ファイルに変換し、データ配信部１１４は、配信先取得部１２１が取得した配信先情報で指定される動画提供サーバー２２０のディレクトリに動画ファイルを配信する。この場合、データ配信部１１４は、配信先情報のサブアドレスに基づいて、予め対応付けされた動画提供サーバー２２０のディレクトリに配信する。動画ファイル変換配信サーバー１２０の各処理部１１１〜１１４及び１２１によって実行される処理は、例えば、ＣＤ−ＲＯＭ等のコンピュータ読み取り可能な記録媒体１９０に記録されたプログラムをインストーラー１１９によって動画ファイル変換配信サーバー１２０にインストールし、該プログラムを実行することによって実現される。
【００２９】
動画提供サーバー２２０は、動画ファイル格納制御部２２１と、動画提供部２２２とを有する。動画ファイル格納制御部２２１は、動画ファイル変換配信サーバー１２０から受信した配信先情報で指定される動画ファイル格納領域２２８のディレクトリに動画ファイルを格納する。例えば、配信先情報によってディレクトリＡが指定されていた場合、ディレクトリＡに動画ファイルを格納する。動画提供部２２２は、端末３０からの動画要求に応じて、該動画要求によって指定される動画ファイル格納領域２２８のディレクトリから動画ファイルを取得して端末３０に提供する。ここで、ディレクトリＡとサブアドレス「0001」、ディレクトリＢとサブアドレス「0002」、ディレクトリＣとサブアドレス「0003」とが予め対応付けてある。
【００３０】
動画提供サーバー２２０の各処理部２２１及び２２２によって実行される処理は、例えば、ＣＤ−ＲＯＭ等のコンピュータ読み取り可能な記録媒体２９０に記録されたプログラムをインストーラー２１９によって動画提供サーバー２２０にインストールし、該プログラムを実行することによって実現される。
【００３１】
このように、動画蓄積配信システム１００２によって、ＴＶ電話端末２０は、配信先指定番号識別サーバー３２０へサブアドレスを付加して電話をかけるのみで、また、異なるサブアドレスを付加することによって、複数の動画ファイルを動画提供サーバー２２０にて提供することが可能となる。また、配信先指定番号識別サーバー３２０は、ＴＶ電話端末２０からの接続要求を着信しないため、ＴＶ電話端末２０に対して課金されないため、ＴＶ電話端末２０の利用者に金銭的な負担を強いることがない。
【００３２】
また、ＴＶ電話端末２０は、動画ファイル変換配信サーバー１２０へＴＶ電話発信を行うのみでよく、通常のＴＶ電話と同様の操作によって、ＴＶ電話映像を動画ファイル変換サーバー１２０へ送信することができる。ＴＶ電話端末２０の利用者は、撮影したＴＶ電話映像をＴＶ電話端末２０に一旦格納後、電子メールに添付する等の操作をする必要がない。
【００３３】
更に、端末３０の閲覧者は、Ｗｅｂ画面上で動画を指定するのみで、ＴＶ電話端末２０が撮影したＴＶ電話映像を動画として閲覧することができる。
【００３４】
端末３０は、閲覧者のＰＣ又はＴＶ電話端末等の動画を表示させることができる端末であれば良く、閲覧者がＴＶ電話端末を持っていない場合であっても、ＴＶ電話端末２０が送信したＴＶ電話映像をインターネット網９２を経由して閲覧することが可能となる。
【００３５】
図５及び図６は、本発明の第二実施例に係る動画蓄積配信システムでの処理を説明するフローチャート図である。図４のネットワーク構成を参照しつつ、図５及び図６に示す処理について説明する。図５より、ＴＶ電話端末２０が、サブアドレスを付加して、配信先指定番号識別サーバー３２０の電話番号に電話発信すると、配信先指定番号識別サーバー３２０は、サブアドレス取得部３２１によって、着信せずにＰＳＴＮ網からＴＶ電話端末２０の電話番号（例えば、「090-9999-9999」）とサブアドレスとを取得する（ステップＳ２０１）。例えば、配信先指定番号識別サーバー３２０の電話番号が「052-123-4567」であって、指定番号としてのサブアドレスが「0001」である場合、「052-123-4567*0001」のようにダイアルされる。
【００３６】
ＴＶ電話端末２０は、配信先指定番号識別サーバー３２０への電話発信を切断する（ステップＳ２０２）。従って、ＴＶ電話端末２０に対して課金されない。
【００３７】
配信先指定番号識別サーバー３２０は、配信先通知部３２２によって、サブアドレスとＴＶ電話端末２０の電話番号とを動画ファイル変換配信サーバー１２０へ通知する（ステップＳ２０３）。
【００３８】
動画ファイル変換配信サーバー１２０は、配信先取得部１２１によって、配信先指定番号識別サーバー３２０から送信されたサブアドレスと、ＴＶ電話端末２０の電話番号とを取得する（ステップＳ２０４）。ＴＶ電話端末２０がＴＶ電話発信すると、動画ファイル変換配信サーバー１２０は、そのＴＶ電話発信をＰＳＴＮ網９１を介して受信する（ステップＳ２０５）。動画ファイル変換配信サーバー１２０は、ステップＳ２０４で取得したＴＶ電話端末の電話番号であることを確認後、録画処理部１１２によって、ＴＶ電話映像を受信しつつリアルタイムに録画を行う（ステップＳ２０６）。
【００３９】
動画ファイル変換配信サーバー１２０は、動画ファイル変換部１１３によって、録画したＴＶ電話映像をインターネット網９２上で閲覧可能な動画ファイルに変換する（ステップＳ２０７）。更に、動画ファイル変換配信サーバー１２０は、データ配信部１１４により、配信先指定番号識別サーバー３４０から取得したサブアドレスに予め対応付けられた動画提供サーバー２２０のディレクトリの位置を配信先情報として、動画ファイル変換部１１３によって変換された動画ファイルを動画提供サーバー２２０へインターネット網９２を経由してデータ配信する（ステップＳ２０８）。ここで動画ファイル変換部１１３によって変換された動画ファイルは、例えば、再生しながらダウンロード可能なストリーミング形式の動画ファイルである。
【００４０】
動画提供サーバー２２０は、動画ファイル格納制御部２２１によって、インターネット網９２を経由して、動画ファイルを受信する（ステップＳ２０９）。続けて、動画提供サーバー２２０は、動画ファイル格納制御部２２１によって、ステップＳ２０９にてデータ受信時に配信先として指定される動画ファイル格納領域のディレクトリに動画ファイルを格納する（ステップＳ２１０）。例えば、配信先としてディレクトリＡが指定されていた場合、ディレクトリＡに受信した動画ファイルを格納する。
【００４１】
一方、閲覧者は、端末３０を用いて動画提供サーバー２２０へアクセスし、Ｗｅｂ画面上で所望の動画を指定することによって動画要求を行う（ステップＳ２１１）。
【００４２】
動画提供サーバー２２０は、閲覧者の端末３０から動画要求を受信すると、動画提供部２２２によって、動画ファイル格納領域２２８の動画要求で指定されるディレクトリから動画ファイルを取得する（ステップＳ２１２）。そして、動画提供サーバー２２０は、動画提供部２２２によって、取得した動画ファイルを閲覧者の端末３０へ送信する（ステップＳ２１３）。
【００４３】
閲覧者の端末３０は、動画ファイルを受信しＷｅｂ画面上で実行することによって、ＴＶ電話端末２０で撮影されたＴＶ端末映像を動画として表示ユニットに表示する（ステップＳ２１４）。
【００４４】
上記第二実施例に係る動画蓄積配信システム１００２では、配信先指定番号識別サーバー３２０を備えることによって、複数ある動画提供サーバー２２０、２２０−１及び２２０−２のどのディレクトリにＴＶ電話端末２０で撮影されたＴＶ電話映像を格納するかを指定することができる。更に、ＴＶ電話端末２０の利用者はサブアドレスによって配信先指定番号識別サーバー３２０に動画を格納すべきディレクトリを通知することができるため、特別な操作をすることなく、電話番号をダイアルする操作のみで、ＴＶ電話端末２０の電話番号に対して複数のＴＶ電話映像を別々に格納するための複数のディレクトリ（格納先）を指定することができる。
【００４５】
また、配信先指定番号識別サーバー３２０は、ＴＶ電話番号２０からの電話発信に対して着信しないため、ＴＶ電話番号２０に対して課金しないようにすることができる。
【００４６】
第三実施例では、ＴＶ電話端末２０がサブアドレスを指定することができないＷ−ＣＤＭＡ（広域ＣＤＭＡ（Code Division Multiple Access））規格に準じた端末である場合にも、複数のＴＶ電話映像をいずれかの動画提供サーバー２２０、２２０−１及び２２０−２のディレクトリに格納可能とする構成例について説明する。
［第三実施例］
本発明の第三実施例に係る動画蓄積配信システムについて図７、図８及び図９で説明する。図７は、本発明の第三実施例に係る動画蓄積配信システムのネットワーク構成を示す図である。図７中、図１に示す動画蓄積配信システム１００１又は図４に示す動画蓄積配信システム１００２と同様の構成部分には同一の符号が付される。図７に示す動画蓄積配信システム１００３のネットワーク構成では、第二実施例における動画蓄積配信システム１００２の配信先指定番号識別サーバー３２０の替わりに、動画ファイル配信先切換えサーバー４３０がインターネット網９２を介して接続される点において異なっている。第二実施例同様に、他の複数の動画提供サーバー２２０−１及び２２０−２は、動画提供サーバー２２０と同等の機能を有するものとする。よって、以下、説明の便宜のため、動画提供サーバー２２０として説明する。また、本実施例において、動画ファイル変換配信サーバー１２０の電話番号を「053-123-4568」とする。
【００４７】
動画ファイル配信先切換えサーバー４３０は、ＣＰＵ（中央処理装置）によって制御されるサーバーコンピュータであって、ディレクトリ情報取得部４２１と、配信先通知部４２２とを有する。ディレクトリ情報取得部４２１は、インターネット網９２を介してＴＶ電話端末２０へＴＶ電話映像を格納可能なディレクトリの一覧を提供し、ＴＶ電話端末２０の利用者から所望のディレクトリ名を取得する。また、ディレクトリ情報取得部４２１は、ＴＶ電話端末２０の利用者によって入力された電話番号の一部又は全部を示す電話番号情報を取得する。配信先通知部４２２は、動画ファイル変換配信サーバー１２０へＴＶ電話端末２０の利用者によって指定されたディレクトリの位置（どの動画提供サーバーのどのディレクトリか）を示す配信先情報を通知する。動画ファイル配信先切換えサーバー４３０の各処理部４２１及び４２２によって実行される処理は、例えば、ＣＤ−ＲＯＭ等のコンピュータ読み取り可能な記録媒体４９０に記録されたプログラムをインストーラー４１９によって動画ファイル配信先切換えサーバー４３０にインストールし、該プログラムを実行することによって実現される。
【００４８】
動画ファイル変換配信サーバー１２０、第二実施例と同様の機能構成であるためその説明を省略する。
【００４９】
動画提供サーバー２３０は、ＣＰＵ（中央処理装置）によって制御されるサーバーコンピュータであって、動画ファイル格納制御部２３１と、動画提供部２３２とを有する。動画ファイル格納制御部２３１は、動画ファイル変換配信サーバー１２０から受信した配信先情報で指定される動画ファイル格納領域２３８のディレクトリに動画ファイルを格納する。例えば、配信先情報によってディレクトリＡが指定されていた場合、ＴＶ電話端末２０の電話番号情報を対応させて動画ファイルを格納する。動画提供部２３２は、端末３０からの動画要求に応じて、該動画要求によって指定されるディレクトリに格納される動画ファイルを動画ファイル格納領域２２８から取得して端末３０に提供する。
【００５０】
このように、動画蓄積配信システム１００３によって、ＴＶ電話端末２０がサブアドレスを指定することができない電話端末であっても、インターネット網９２に接続できるのであれば、インターネット網９２を介して動画ファイルの格納場所を指定できるため、同一のＴＶ電話端末２０で撮影した複数のＴＶ電話映像を動画蓄積配信システム１００２に格納させることができる。
【００５１】
また、ＴＶ電話端末２０は、動画ファイル変換配信サーバー１２０へＴＶ電話発信を行うのみでよく、通常のＴＶ電話と同様の操作によって、ＴＶ電話映像を動画ファイル変換ファイルサーバー１２０へ送信することができる。ＴＶ電話端末２０の利用者は、撮影したＴＶ電話映像をＴＶ電話端末２０に一旦格納後、電子メールに添付する等の操作をする必要がない。
【００５２】
また、端末３０は、Ｗｅｂ画面上で所望する動画ファイルを指定するのみで、ＴＶ電話端末２０が撮影したＴＶ電話映像を動画として閲覧することができる。この場合、電話番号情報は、電話番号の全部又は一部（例えば下四桁）を示す情報である。
【００５３】
端末３０は、閲覧者のＰＣ又はＴＶ電話端末等の動画を表示させることができる端末であれば良く、閲覧者がＴＶ電話端末を持っていない場合であっても、ＴＶ電話端末２０が送信したＴＶ電話映像を閲覧することが可能となる。
【００５４】
図８及び図９は、本発明の第三実施例に係る動画蓄積配信システムでの処理を説明するフローチャート図である。図７のネットワーク構成を参照しつつ、図８及び図９に示す処理について説明する。図７より、動画ファイル配信先切換えサーバー４３０は、インターネット網９２を介してＴＶ電話端末から接続要求を受信すると（ステップＳ３０１）、動画ファイル配信先切換えサーバー４３０は、ＴＶ電話端末２０のログイン後、ＴＶ電話映像の格納場所を指定するためのディレクトリ指定画面をＴＶ電話端末２０に提供する（ステップＳ３０２）。ＴＶ電話端末２０の利用者は、ＴＶ電話端末２０の表示ユニットに表示されたディレクトリ指定画面を利用して、ＴＶ電話映像を格納するディレクトリを選択し、電話番号の全部又は一部を示す電話番号情報を入力する。動画ファイル配信先切換えサーバー４３０は、ＴＶ電話端末２０の利用者による入力によって、ＴＶ電話端末２０の電話番号情報と所望するディレクトリを取得する（ステップＳ３０３）。例えば、ＴＶ電話端末２０の利用者は、動画提供サーバー２２０のディレクトリＡを選択したとする。
【００５５】
配信先指定番号識別サーバー３２０は、配信先通知部４２２によって、ＴＶ電話端末２０用に予めサブアドレスと対応させた動画提供サーバー２２０のディレクトリ名（ディレクトリＡ）を取得し、そのディレクトリの位置を示す配信先情報と、ＴＶ電話端末２０の電話番号情報とを動画ファイル変換配信サーバー１２０へ通知する（ステップＳ３０４）。
【００５６】
動画ファイル変換配信サーバー１２０は、配信先取得部１２１によって、配信先指定番号識別サーバー３２０から送信された配信先情報と、ＴＶ電話端末２０の電話番号情報とを取得する（ステップＳ３０５）。ＴＶ電話端末２０がＴＶ電話発信すると、動画ファイル変換配信サーバー１２０は、そのＴＶ電話発信をＰＳＴＮ網９１を介して受信する（ステップＳ３０６）。動画ファイル変換配信サーバー１２０は、ＰＳＴＮ網９１から取得したＴＶ電話端末２０の電話番号がステップＳ３０５で取得したＴＶ電話端末の電話番号情報に対応することを確認後、録画処理部１１２によって、ＴＶ電話映像を受信しつつリアルタイムに録画を行う（ステップＳ３０７）。
【００５７】
動画ファイル変換配信サーバー１２０は、動画ファイル変換部１１３によって、録画したＴＶ電話映像をインターネット網９２上で閲覧可能な動画ファイルに変換して（ステップＳ３０８）、データ配信部１１４により、配信先指定番号識別サーバー３２０から取得した動画提供サーバー２３０のディレクトリの位置を配信先情報として、動画ファイル変換部１１３によって変換された動画ファイルとを動画提供サーバー２３０へインターネット網９２を経由してデータ配信する（ステップＳ３０９）。ここで動画ファイル変換部１１３によって変換された動画ファイルは、例えば、再生しながらダウンロード可能なストリーミング形式の動画ファイルである。
【００５８】
動画提供サーバー２３０は、動画ファイル格納制御部２３１によって、インターネット網９２を経由して、動画ファイルを受信する（ステップＳ３１０）。続けて、動画提供サーバー２３０は、動画ファイル格納制御部２３１によって、ステップＳ３１０にてデータ受信時に配信先として指定される動画ファイル格納領域のディレクトリ（例えば、ディレクトリＡ）に動画ファイルを格納する（ステップＳ３１１）。
【００５９】
一方、閲覧者は、端末３０を用いて動画提供サーバー２３０へアクセスし、Ｗｅｂ画面上で所望の動画を指定することによって動画要求を行う（ステップＳ３１２）。
【００６０】
動画提供サーバー２３０は、閲覧者の端末３０から動画要求を受信すると、動画提供部２３２によって、動画ファイル格納領域２３８の動画要求で指定されるディレクトリから動画ファイルを取得する（ステップＳ３１３）。そして、動画提供サーバー２３０は、動画提供部２３２によって、取得した動画ファイルを閲覧者の端末３０へ送信する（ステップＳ３１４）。
【００６１】
閲覧者の端末３０は、動画ファイルを受信し実行することによって、ＴＶ電話端末２０で撮影されたＴＶ端末映像を動画として表示ユニットに表示する（ステップＳ３１５）。
【００６２】
上記第三実施例に係る動画蓄積配信システム１００３では、動画ファイル配信先切換えサーバー４３０を備えることによって、複数ある動画提供サーバー２２０、２２０−１及び２２０−２のどのディレクトリにＴＶ電話端末２０で撮影されたＴＶ電話映像を格納するかを管理することができる。また、ＴＶ電話端末２０がサブアドレスを指定できない電話端末であっても、インターネット網９２を経由して動画ファイル配信先切換えサーバー４３０と接続することによって、ＴＶ電話端末２０の利用者は、所望するディレクトリと電話番号の全部又は一部を示す電話情報を設定することができるため、ＴＶ電話端末２０の電話番号に対して複数のＴＶ電話映像を別々に格納するための複数のディレクトリを指定することができる。
【００６３】
上記第二実施例及び第三実施例では、ＴＶ電話端末２０の利用者は、ＴＶ電話映像を実際に送信する前に配信先指定番号識別サーバー３２０又は動画ファイル配信先切換えサーバー４３０に接続して格納先を指定することによって、複数のＴＶ電話映像を動画提供サーバー２２０又は２３０にて動画ファイルとして管理することを可能としている。第四実施例では、ＴＶ電話端末２０からの電話発信を１回で済ませる構成例について説明する。
【００６４】
第四実施例では、ＩＳＤＮ基本インターフェース（ＢＲＩ：Basic Rate Interface）に対応している動画ファイル変換配信サーバーに対して、ＴＶ電話端末２０が、一次群速度インターフェース（ＰＲＩ：Primary Rate Interface）を経由して、動画ファイル変換配信サーバーへサブアドレスを指定して電話発信することを可能とする構成例について説明する。
［第四実施例］
本発明の第四実施例に係る動画蓄積配信システムについて図１０、図１１及び図１２で説明する。図１０は、本発明の第四実施例に係る動画蓄積配信システムのネットワーク構成を示す図である。図１０中、図１に示す動画蓄積配信システム１００１と同様の構成部分には同一の符号が付される。図１０に示す動画蓄積配信システム１００４のネットワーク構成では、動画ファイル変換配信サーバー１２０に対して、ＴＶ電話端末２０は、あえて動画ファイル変換配信サーバー１２０の電話番号「053-123-4568」にサブアドレス「0001」を付加してＴＶ電話発信するのみでＴＶ電話映像をインターネット網９２を介して提供可能とするために、ＰＲＩからＢＲＩへ変換するＰＲＩ／ＢＲＩ変換器４０を備えている点において異なっている。第二及び第三実施例同様に、他の複数の動画提供サーバー２２０−１及び２２０−２は、後述される動画提供サーバー２２０と同等の機能を有するものとする。よって、以下、説明の便宜のため、動画提供サーバー２２０として説明する。
【００６５】
配信先指定番号識別サーバー３４０は、ＣＰＵ（中央処理装置）によって制御されるサーバーコンピュータであって、サブアドレス消去部３４１と、配信先通知部３４２と、インストーラー３１９とを有する。サブアドレス消去部３４１は、ＰＳＴＮ網９１から提供されるＴＶ電話端末２０の電話番号と、動画ファイル変換配信サーバー１２０の電話番号（例えば、「053-123-4568」）に付加されたサブアドレス（例えば、「0001」）を動画ファイルを特定する情報として取得する。配信先通知部３４２は、サブアドレス「0001」を動画ファイル変換配信サーバー１２０へ通知する。配信先指定番号識別サーバー３４０の各処理部３４１及び３４２によって実行される処理は、例えば、ＣＤ−ＲＯＭ等のコンピュータ読み取り可能な記録媒体３９０に記録されたプログラムをインストーラー３１９によって配信先指定番号識別サーバー３４０にインストールし、該プログラムを実行することによって実現される。
【００６６】
ＰＲＩ／ＢＲＩ変換器４０は、配信先指定番号識別サーバー３４０からのＰＲＩによる接続要求に応じて、サブアドレスを消去して動画ファイル変換配信サーバー１２０が接続可能なＢＲＩに変換する。
【００６７】
動画ファイル変換配信サーバー１２０及び動画提供サーバー２２０での処理は、第二実施例と同様であるためその説明を省略する。
【００６８】
このように、動画蓄積配信システム１００４によって、ＴＶ電話端末２０は、動画ファイル変換配信サーバー１２０へサブアドレスを付加して電話をかけるのみで、また、異なるサブアドレスをその都度付加することによって、複数の動画ファイルを動画提供サーバー２２０にて提供することが可能となる。ＴＶ電話端末２０の利用者は、１回の操作でＴＶ電話映像を送信することができる。また、配信先指定番号識別サーバー３２０は、ＴＶ電話端末２０からの接続要求を着信しないため、ＴＶ電話端末２０に対して課金されないため、ＴＶ電話端末２０の利用者に金銭的な負担を強いることがない。
【００６９】
また、ＴＶ電話端末２０は、動画ファイル変換配信サーバー１２０に対してＴＶ電話発信を行うのみでよく、通常のＴＶ電話と同様の操作によって、ＴＶ電話映像を動画ファイル変換サーバー１２０へ送信することができる。ＴＶ電話端末２０の利用者は、撮影したＴＶ電話映像をＴＶ電話端末２０に一旦格納後、電子メールに添付する等の操作をする必要がない。
【００７０】
更に、端末３０の閲覧者は、Ｗｅｂ画面上で動画を指定するのみで、ＴＶ電話端末２０が撮影したＴＶ電話映像を動画として閲覧することができる。
【００７１】
端末３０は、閲覧者のＰＣ又はＴＶ電話端末等の動画を表示させることができる端末であれば良く、閲覧者がＴＶ電話端末を持っていない場合であっても、ＴＶ電話端末２０が送信したＴＶ電話映像をインターネット網９２を経由して閲覧することが可能となる。
【００７２】
図１１及び図１２は、本発明の第四実施例に係る動画蓄積配信システムでの処理を説明するフローチャート図である。図１０のネットワーク構成を参照しつつ、図１１及び図１２に示す処理について説明する。図１０より、ＴＶ電話端末２０が、サブアドレスを付加して、動画ファイル変換配信サーバー１２０の電話番号に電話発信すると、先ず、配信先指定番号識別サーバー３４０は、サブアドレス取得部３４１によって、その電話発信を着信せずにＰＳＴＮ網９１からＴＶ電話番号２０の電話番号と、サブアドレスとを取得する（ステップＳ４０１）。配信先指定番号識別サーバー３４０は、配信先通知部３４０によって、動画ファイル変換配信サーバー１２０にＴＶ電話端末２０の電話番号とサブアドレスとを動画ファイルの配信先として通知する（ステップＳ４０２）。動画ファイル変換配信サーバー１２０は、配信先取得部１２１によって、配信先指定番号識別サーバー３４０からＴＶ電話端末２０の電話番号とサブアドレスとを取得する（ステップＳ４０３）。そして、配信先指定番号識別サーバー３４０は、ＰＳＴＮ網９１を経由してＰＲＩ／ＢＲＩ変換器４０に接続する（ステップＳ４０４）。
【００７３】
ＰＲＩ／ＢＲＩ変換器４０は、発信されてきたサブアドレスを消去して、ＰＳＴＮ網９１を経由して動画ファイル変換配信サーバー１２０に接続する（ステップＳ４０５）。
【００７４】
動画ファイル変換配信サーバー１２０は、電話番号取得部１１１によって、ＰＳＴＮ網９１を経由してＴＶ電話端末２０の電話番号を取得し（ステップＳ４０６）、ステップＳ４０３にて配信先取得部１２１によって取得したＴＶ電話端末２０の電話番号であることを確認後、ＴＶ電話映像を受信しつつ、リアルタイムで録画を行う（ステップＳ４０７）。
【００７５】
動画ファイル変換配信サーバー１２０は、動画ファイル変換部１１３によって、録画したＴＶ電話映像をインターネット網９２上で閲覧可能な動画ファイルに変換する（ステップＳ４０８）。更に、動画ファイル変換配信サーバー１２０は、データ配信部１１４により、配信先指定番号識別サーバー３４０から取得したサブアドレスに予め対応付けられた動画提供サーバー２２０のディレクトリの位置を配信先情報として、動画ファイル変換部１１３によって変換された動画ファイルを動画提供サーバー２２０へインターネット網９２を経由してデータ配信する（ステップＳ４０９）。ここで動画ファイル変換部１１３によって変換された動画ファイルは、例えば、再生しながらダウンロード可能なストリーミング形式の動画ファイルである。
【００７６】
動画提供サーバー２２０は、動画ファイル格納制御部２２１によって、インターネット網９２を経由して、動画ファイルを受信する（ステップＳ４１０）。続けて、動画提供サーバー２２０は、動画ファイル格納制御部２２１によって、ステップＳ２０９にてデータ受信時に配信先として指定される動画ファイル格納領域のディレクトリに動画ファイルを格納する（ステップＳ４１１）。例えば、配信先としてディレクトリＡが指定されていた場合、ディレクトリＡに受信した動画ファイルを格納する。
【００７７】
一方、閲覧者は、端末３０を用いて動画提供サーバー２２０へアクセスし、Ｗｅｂ画面上で所望の動画を指定することによって動画要求を行う（ステップＳ４１２）。
【００７８】
動画提供サーバー２２０は、閲覧者の端末３０から動画要求を受信すると、動画提供部２２２によって、動画ファイル格納領域２２８の動画要求で指定されるディレクトリから動画ファイルを取得する（ステップＳ４１３）。そして、動画提供サーバー２２０は、動画提供部２２２によって、取得した動画ファイルを閲覧者の端末３０へ送信する（ステップＳ４１４）。
【００７９】
閲覧者の端末３０は、動画ファイルを受信し実行することによって、ＴＶ電話端末２０で撮影されたＴＶ端末映像を動画として表示ユニットに表示する（ステップＳ４１５）。
【００８０】
上記第四実施例に係る動画蓄積配信システム１００４では、ＰＲＩ／ＢＲＩ変換器４０を備えることによって、ＴＶ電話端末２０の利用者は、サブアドレスを指定した１回の電話発信で、ＴＶ電話映像をインターネット上で閲覧可能とすることができる。また、複数ある動画提供サーバー２２０、２２０−１及び２２０−２のどのディレクトリにＴＶ電話端末２０で撮影されたＴＶ電話映像を格納するかを指定することができる。更に、ＴＶ電話端末２０の利用者はサブアドレスによって配信先指定番号識別サーバー３２０に動画を格納すべきディレクトリを通知することができるため、特別な操作をすることなく、電話番号をダイアルする操作のみで、ＴＶ電話端末２０の電話番号に対して複数のＴＶ電話映像を別々に格納するための複数のディレクトリ（格納先）を指定することができる。
【００８１】
また、配信先指定番号識別サーバー３２０は、ＴＶ電話番号２０からの電話発信に対して着信しないため、ＴＶ電話番号２０に対して課金しないようにすることができる。
【００８２】
第四実施例に係る動画蓄積配信システム１００４では、ＰＲＩによる２３Ｂ＋Ｄチャネルによるディジタル回線網からＢＲＩによる２Ｂ＋Ｄチャネルによるディジタル回線網への変換をＰＲＩ／ＢＲＩ変換器４０として例示したが、ＴＶ電話端末２０で付加されたサブアドレスを取得後、そのサブアドレスを消去する構成であればよい。例えば、ＴＶ電話端末２０側をサブアドレスを付加することができるＢＲＩであってもよく、この場合、サブアドレスが付加されたＢＲＩからサブアドレスを消去したＢＲＩへの変換（ＢＲＩからＢＲＩへの変換）を行えばよい。このように、動画蓄積配信システム１００４のネットワーク構成は、ＴＶ電話端末２０からの発信がディジタル回線網を介せばよく、そのチャネル数によって制限されるものではない。また、動画ファイル変換配信サーバー１２０がＰＲＩに対応する装置であれば、ＢＲＩからＢＲＩへの変換と同様に、サブアドレスを消去するように構成すれば良い。
【００８３】
第五実施例では、ＴＶ電話端末２０が自動着信録画機能を有する場合に、その自動着信録画機能を利用してＴＶ電話端末２０に自動録画をさせる構成例について説明する。
［第五実施例］
本発明の第五実施例に係る動画蓄積配信システムについて図１３、図１４及び図１５で説明する。図１３は、本発明の第五実施例に係る動画蓄積配信システムのネットワーク構成を示す図である。図１０中、図１に示す動画蓄積配信システム１００１又は図７に示す動画蓄積配信システム１００３と同様の構成部分には同一の符号が付される。図１３に示す動画蓄積配信システム１００５のネットワーク構成では、インターネット網９２に接続可能な端末３０からのＴＶ電話端末２０に対する自動録画の設定を可能とするために、自動録画設定サーバー５５０が備えられている点において他実施例におけるネットワーク構成と異なっている。第二〜第四実施例同様に、他の複数の動画提供サーバー２２０−１及び２２０−２は、後述される動画提供サーバー２２０と同等の機能を有するものとする。よって、以下、説明の便宜のため、動画提供サーバー２２０として説明する。
【００８４】
自動録画設定サーバー５５０は、ＣＰＵ（中央処理装置）によって制御されるサーバーコンピュータであって、電話番号登録部５５１と、ディレクトリ情報取得部５５２と、録画情報取得部５５３と、録画指示部５５４とを有する。電話番号登録部５５１は、インターネット網９１を経由して端末３０からの録画要求に対して、自動録画をさせたいＴＶ電話端末２０の電話番号の登録を行う。ディレクトリ情報取得部５５２は、端末３０の閲覧者から所望のディレクトリ名を取得する。録画情報取得部５５３は、インターネット網９１を経由して端末３０の閲覧者の操作に応じて、録画開始指示、録画停止指示、タイマー録画時刻、録画時間に関する録画操作情報を取得する。録画指示部５５４は、ＴＶ電話端末２０の電話番号と録画操作情報とを動画ファイル変換配信サーバー１５０へ通知する。
【００８５】
動画ファイル変換配信サーバー１５０は、第一から第四実施例における配信先取得部１２１及び電話番号取得部１１１の替わりに、録画制御部１５５と、ＴＶ電話発信部１５１とを有する点で異なっている。他処理部は、第一から第四実施例における処理部と同様であるため、その説明を省略する。
【００８６】
録画制御部１５５は、動画ファイル変換配信サーバー１５０が自動録画設定サーバー５５０からＴＶ電話端末２０の電話番号と録画操作情報とを受信すると、該電話番号と該録画操作情報とに基づいて、ＴＶ電話発信部１５１と録画処理部１１２とを制御する。つまり、録画開始指示又はタイマー録画時刻になったら、ＴＶ電話発信部１５１に該電話番号に対してＴＶ電話発信を行わせる。また、録画停止指示又は録画時間が経過したら、録画処理部１１２での処理を停止させる。ＴＶ電話発信部１５１は、録画制御部１５５による制御によって、自動録画設定サーバー５５０から通知されたＴＶ電話端末２０の電話番号（例えば、「090-9999-9999」）に対してＴＶ電話発信する。
【００８７】
動画提供サーバー２３０は、第三実施例と同様の機能構成であるためその説明を省略する。
【００８８】
このように、動画蓄積配信システム１００５によって、端末３０の閲覧者からの指示に応じて、ＴＶ電話端末２０へＴＶ電話発信を行い、ＴＶ電話端末２０で撮影されるＴＶ電話映像をリアルタイムでインターネット上で閲覧することができる。また、端末３０の閲覧者は、インターネット網９２を介して動画ファイルの格納場所を指定できるため、同一のＴＶ電話端末２０で撮影した複数のＴＶ電話映像を動画蓄積配信システム１００２に格納させることができる。
【００８９】
また、端末３０は、Ｗｅｂ画面上で所望する動画ファイルを指定するのみで、ＴＶ電話端末２０が撮影したＴＶ電話映像を動画として閲覧することができる。
【００９０】
端末３０は、閲覧者のＰＣ又はＴＶ電話端末等の動画を表示させることができる端末であれば良く、閲覧者がＴＶ電話端末を持っていない場合であっても、ＴＶ電話端末２０が送信したＴＶ電話映像を閲覧することが可能となる。
【００９１】
図１４及び図１５は、本発明の第五実施例に係る動画蓄積配信システムでの処理を説明するフローチャート図である。図１３のネットワーク構成を参照しつつ、図１４及び図１５に示す処理について説明する。図１３より、自動録画設定サーバー５５０は、端末３０から録画要求を受信すると（ステップＳ５０１）、電話番号登録部５５１によって端末３０の閲覧者が閲覧したいＴＶ電話端末２０の電話番号を取得する（ステップＳ５０２）。既に、電話番号が登録されている場合は、ステップＳ５０２での処理を省略することができる。
【００９２】
更に、自動録画設定サーバー５５０は、ディレクトリ情報取得部５５２によって、ＴＶ電話端末２０からのＴＶ電話映像の格納先を配信先情報として端末３０の閲覧者から取得する（ステップＳ５０３）。続けて、自動録画設定サーバー５５０は、録画情報取得部５５３によって、端末３０から録画開始指示、録画停止指示、タイマー録画時刻、録画時間等の指示内容を示す録画情報を取得する（ステップＳ５０４）。そして、録画指示部５５４は、ＴＶ電話端末２０の電話番号と、配信先情報と、録画情報とを動画ファイル変換配信サーバー１５０へ送信することによって、動画ファイル変換配信サーバー１５０によるＴＶ電話端末２０の自動録画を指示する（ステップＳ５０５）。
【００９３】
動画ファイル変換配信サーバー１５０は、ＴＶ電話端末２０の電話番号と、配信先情報と、録画情報とを自動録画設定サーバー５５０から受信すると、録画制御部１５５によって、該録画情報が録画開始指示である場合、ＴＶ電話発信部１５１にＴＶ電話端末２０へＴＶ電話発信を行わせる。録画制御部１５５による制御によってＴＶ電話発信部１５１は、ＴＶ電話端末２０に対してＴＶ電話発信を行う（ステップ５０６）。
【００９４】
ＴＶ電話端末２０は、動画ファイル変換配信サーバー１５０からの接続要求に応じて自動着信機能を起動して、音声と共にＴＶ電話映像を動画ファイル変換配信サーバー１５０へ送信する（ステップＳ５０７）。
【００９５】
動画ファイル変換配信サーバー１５０は、録画処理部１１２によって、ＴＶ電話端末２０から送信されるＴＶ電話映像を受信しつつ、所定記憶領域にリアルタイムに録画を行う（ステップＳ５０８）。動画ファイル変換配信サーバー１１０は、動画ファイル変換部１１３によって、録画したＴＶ電話映像をインターネット上で閲覧可能な動画ファイルに変換して（ステップＳ５０９）、データ配信部１１４により、自動録画設定サーバー５５０から取得した配信先情報に基づいて、動画ファイル変換部１１３によって変換された動画ファイルをインターネット網９２を経由してデータ配信する（ステップＳ５１０）。ここで、配信先情報が動画提供サーバー２３０のディレクトリＡを指定しているとすると、動画ファイルは、配信先情報が動画提供サーバー２３０のディレクトリＡに配信される。ここで動画ファイル変換部１１３によって変換された動画ファイルは、例えば、再生しながらダウンロード可能なストリーミング形式の動画ファイルである。
【００９６】
動画提供サーバー２３０は、動画ファイル格納制御部２３１によって、インターネット網９２を経由して、動画ファイルを受信する（ステップＳ５１１）。続けて、動画提供サーバー２３０は、動画ファイル格納制御部２３１によって、ステップＳ３１０にてデータ受信時に配信先として指定される動画ファイル格納領域のディレクトリ（例えば、ディレクトリＡ）に動画ファイルを格納する（ステップＳ５１２）。
【００９７】
閲覧者は、端末３０を用いて動画提供サーバー２３０へアクセスし、Ｗｅｂ画面上で所望の動画を指定することによって動画要求を行う（ステップＳ５１３）。
【００９８】
動画提供サーバー２３０は、閲覧者の端末３０から動画要求を受信すると、動画提供部２３２によって、動画ファイル格納領域２３８の動画要求で指定されるディレクトリから動画ファイルを取得する（ステップＳ５１４）。そして、動画提供サーバー２３０は、動画提供部２３２によって、取得した動画ファイルを閲覧者の端末３０へ送信する（ステップＳ５１５）。
【００９９】
閲覧者の端末３０は、動画ファイルを受信し実行することによって、ＴＶ電話端末２０で撮影されたＴＶ端末映像を動画として表示ユニットに表示する（ステップＳ５１６）。
【０１００】
上記第五実施例に係る動画蓄積配信システム１００５では、自動録画設定サーバー５５０を備えることによって、端末３０の閲覧者からのＴＶ電話端末２０に対する遠隔操作を実現することができる。
【０１０１】
本発明に係る第一から第五実施例において、ＴＶ電話発信をインターネット網９２に接続される動画ファイル変換配信サーバーに対して行うことにより、インターネット上で公開される動画コンテンツの作成を容易とする。
【０１０２】
また、動画コンテンツの更新を容易とし、多数の動画コンテンツの作成を短期間で行うことができる。ＴＶ電話端末２０の利用者は、ＴＶ電話発信をするのみで動画コンテンツを作成することができる。従って、個人で動画コンテンツを作成して楽しむのみならず、動画コンテンツの管理規模が大きい団体又は企業にとっても、更新や作成にかかる時間、手間、コストを大幅に削減することができる。
【０１０３】
更に、遠方の居住者にとって、実物を見ることができない場合に、映像（動画）によってリアルタイムで見ることができる。
【０１０４】
また、従来、写真、絵、図等で説明を行っていた業種においても、ＴＶ電話端末からＴＶ電話発信をする行為のみで映像を作成することができるため、よりリアルで分かり易い説明とすることができる。よって、閲覧者にとっても、実物を見るまでにかかる時間及びコストを削減することができる。
【０１０５】
更に、各実施例における動画提供サーバーにおいて、端末３０を利用する閲覧者の登録及び閲覧者の認証を行うように構成することによって、プライバシーを考慮した動画配信システムを実現することができる。例えば、ＴＶ電話端末２０の利用者が予め閲覧者を登録するように制限しても良い。
【符号の説明】
【０１０６】
２０        ＴＶ電話端末
３０        端末
９１        ＰＳＴＮ網
９２        インターネット網
１１０、１２０、１５０  動画ファイル変換配信サーバー
２１０、２２０、２３０  動画提供サーバー
３２０、３４０          配信先指定番号識別サーバー
４３０                  動画ファイル配信先切換えサーバー
５５０                  自動録画設定サーバー
【図１】
2010088130.tif 000003
【図２】
2010088130.tif 000004
【図３】
2010088130.tif 000005
【図４】
2010088130.tif 000006
【図５】
2010088130.tif 000007
【図６】
2010088130.tif 000008
【図７】
2010088130.tif 000009
【図８】
2010088130.tif 000010
【図９】
2010088130.tif 000011
【図１０】
2010088130.tif 000012
【図１１】
2010088130.tif 000013
【図１２】
2010088130.tif 000014
【図１３】
2010088130.tif 000015
【図１４】
2010088130.tif 000016
【図１５】
2010088130.tif 000017